(57)【要約】【課題】  情報処理装置において、処理手段が省電力状態で待機時間が経過した場合、省電力状態を解除し、処理手段が記憶手段にヘッド退避を実行させることで、記憶手段のオン／オフ回数を適切に記憶すること。【解決手段】  所定の条件が満たされた場合に、処理手段に対する電力供給を減少させる。  処理手段への電力供給が減少されている省電力状態で待機時間が経過した場合に、省電力状態を解除する。  省電力状態が解除されたことに応じて、ヘッド退避を実行する。  ヘッド退避が完了されたことに応じて、記憶手段に対する電力供給を停止させる。【選択図】  図２
2011013773.tif 000002
【特許請求の範囲】
【請求項１】
データを処理する処理手段と、
前記処理手段により処理されるデータを、ヘッドを用いてディスクに記憶する記憶手段と、
前記処理手段及び前記記憶手段に対して電力を供給する供給手段と、
前記処理手段及び前記記憶手段に対する電力供給を制御する制御手段と、
前記記憶手段に対する電力供給を開始させてから前記記憶手段に対する電力供給を停止させるまでに待機すべき待機時間を設定する設定手段とを有し、
前記制御手段は、所定の条件が満たされた場合に、前記処理手段に対する電力供給を減少させ、前記処理手段に対する電力供給が減少されている省電力状態で前記設定手段により設定された前記待機時間が経過した場合に、前記省電力状態を解除するように、前記供給手段を制御し、
前記処理手段は、前記供給手段により前記省電力状態が解除されたことに応じて、前記ヘッドを退避領域へ退避させるヘッド退避を実行するように、前記記憶手段を制御し、
前記制御手段は、前記記憶手段により前記ヘッド退避が完了されたことに応じて、前記記憶手段に対する電力供給を停止させるように、前記供給手段を制御することを特徴とする情報処理装置。
【請求項２】
前記ヘッド退避の方式を判断する判断手段を更に有し、
前記制御手段は、前記判断手段により前記ヘッド退避の方式が第１の方式であると判断された場合において、前記省電力状態で前記設定手段により設定された前記待機時間が経過した場合に、前記省電力状態を解除するように、前記供給手段を制御することを特徴とする請求項１に記載の情報処理装置。
【請求項３】
前記制御手段は、前記判断手段により前記ヘッド退避の方式が前記第１の方式とは異なる第２の方式であると判断された場合において、前記省電力状態で前記設定手段により設定された前記待機時間が経過した場合に、前記記憶手段に対する電力供給を停止させるように、前記供給手段を制御することを特徴とする請求項２に記載の情報処理装置。
【請求項４】
前記記憶手段の型番と前記ヘッド退避の方式を対応付けて登録する登録手段を更に有し、
前記判断手段は、前記記憶手段から取得した前記記憶手段の型番に対応する型番を前記登録手段に登録された前記記憶手段の型番の中から特定し、当該特定された型番に対応するヘッド退避の方式を前記記憶手段のヘッド退避の方式として決定することにより、前記ヘッド退避の方式を判断することを特徴とする請求項２又は３に記載の情報処理装置。
【請求項５】
前記制御手段は、前記判断手段により前記記憶手段から取得した前記記憶手段の型番に対応する型番が前記登録手段に登録された前記記憶手段の型番の中から特定できなかった場合において、前記省電力状態で前記設定手段により設定された前記待機時間が経過した場合に、前記省電力状態を解除するように、前記供給手段を制御することを特徴とする請求項４に記載の情報処理装置。
【請求項６】
前記第１の方式は、ＣＳＳ方式であることを特徴とする請求項２乃至５のいずれか１項に記載の情報処理装置。
【請求項７】
前記第２の方式は、ロード／アンロード方式であることを特徴とする請求項３乃至６のいずれか１項に記載の情報処理装置。
【請求項８】
前記待機時間は、前記情報処理装置に対して保証される製品寿命を前記記憶手段に対して保証されるオン／オフ回数で除算することにより算出されることを特徴とする請求項１乃至７のいずれか１項に記載の情報処理装置。
【請求項９】
前記所定の条件は、前記情報処理装置に対してジョブの入力が一定時間ないことであることを特徴とする請求項１乃至８のいずれか１項に記載の情報処理装置。
【請求項１０】
データを処理する処理手段と、
前記処理手段により処理されるデータを、ヘッドを用いてディスクに記憶する記憶手段と、
前記処理手段及び前記記憶手段に対して電力を供給する供給手段と、
前記処理手段及び前記記憶手段に対する電力供給を制御する制御手段とを有する情報処理装置の制御方法であって、
前記記憶手段に対する電力供給を開始させてから前記記憶手段に対する電力供給を停止させるまでに待機すべき待機時間を設定する設定工程と、
前記制御手段が、所定の条件が満たされた場合に、前記処理手段に対する電力供給を減少させ、前記処理手段に対する電力供給が減少されている省電力状態で前記設定工程により設定された前記待機時間が経過した場合に、前記省電力状態を解除するように、前記供給手段を制御する第１の制御工程と、
前記処理手段が、前記供給手段により前記省電力状態が解除されたことに応じて、前記ヘッドを退避領域へ退避させるヘッド退避を実行するように、前記記憶手段を制御する第２の制御工程と、
前記制御手段が、前記記憶手段により前記ヘッド退避が完了されたことに応じて、前記記憶手段に対する電力供給を停止させるように、前記供給手段を制御する第３の制御工程とを有することを特徴とする制御方法。
【請求項１１】
データを処理する処理手段と、
前記処理手段により処理されるデータを、ヘッドを用いてディスクに記憶する記憶手段と、
前記処理手段及び前記記憶手段に対して電力を供給する供給手段と、
前記処理手段及び前記記憶手段に対する電力供給を制御する制御手段とを有する情報処理装置に、
前記記憶手段に対する電力供給を開始させてから前記記憶手段に対する電力供給を停止させるまでに待機すべき待機時間を設定する設定工程と、
前記制御手段が、所定の条件が満たされた場合に、前記処理手段に対する電力供給を減少させ、前記処理手段に対する電力供給が減少されている省電力状態で前記設定工程により設定された前記待機時間が経過した場合に、前記省電力状態を解除するように、前記供給手段を制御する第１の制御工程と、
前記処理手段が、前記供給手段により前記省電力状態が解除されたことに応じて、前記ヘッドを退避領域へ退避させるヘッド退避を実行するように、前記記憶手段を制御する第２の制御工程と、
前記制御手段が、前記記憶手段により前記ヘッド退避が完了されたことに応じて、前記記憶手段に対する電力供給を停止させるように、前記供給手段を制御する第３の制御工程とを実行させるための制御プログラム。
【発明の詳細な説明】
【技術分野】
【０００１】
本発明は、情報処理装置、情報処理装置の制御方法及び制御プログラムに関するものである。
【背景技術】
【０００２】
ＨＤＤには、ＨＤＤを何回オン／オフしたかを示す、オン／オフ回数が記録されるものがある。
【０００３】
ＨＤＤのオン／オフ回数は、様々な制御に用いられるため、正確に記録されることが必要である。
【０００４】
特許文献１には、ＨＤＤの通電時間の累積値と、ＨＤＤのオン／オフ回数の累積値に基づいて、ＨＤＤの電源をオフするまでに待機すべき待機時間を設定する発明が記載されている。特許文献１では、タイマーにより計測された時間が設定された待機時間を超えた場合に、ＨＤＤの電源をオフにする。
【０００５】
一方、ＨＤＤは、ディスクの回転を停止させる際に、ヘッドをディスクの記憶領域以外の場所へ退避させるヘッド退避を実行させる。
【０００６】
ヘッド退避により、ディスクの回転が停止している間にＨＤＤが衝撃を受けた場合に、ヘッドによってディスクの記憶領域がダメージを受けることを防止することができる。
【０００７】
ヘッド退避の方式は、大きく分けると、ロード／アンロード方式と、ＣＳＳ方式に分けられる。
【０００８】
ロード／アンロード方式は、ディスクの記憶領域の外側にヘッドを退避させる方式である。ロード／アンロード方式において、オン／オフ回数は、ＨＤＤの電源がオフになるときに記録される。
【０００９】
ＣＳＳ方式は、ディスクの記憶領域の内側にヘッドを退避させる方式である。ＣＳＳ方式において、オン／オフ回数は、ヘッド退避が実行されるときに記録される。
【先行技術文献】
【特許文献】
【００１０】
【特許文献１】特開２００８−１４０４９２号公報
【発明の概要】
【発明が解決しようとする課題】
【００１１】
近年、情報処理装置では、省電力の観点から、ジョブの実行が完了した際にＣＰＵの電源をオフにし、その後所定の待機時間が経過してからＨＤＤの電源をオフにする構成が考えられている。
【００１２】
しかし、上記の構成において、以下のような場合には、ＨＤＤのオン／オフ回数が正確に記録されなくなってしまう。
【００１３】
図６は、上記の構成において、ＣＰＵの電源が、一度オフになった後、再度（ジョブの入力等によって）オンになる場合を示している。
【００１４】
図６において、ロード／アンロード方式のＨＤＤでは、オン／オフ回数はＨＤＤの電源がオフになるときに記録されるため、オン／オフ回数が正確に記録される。
【００１５】
しかしながら、ＣＳＳ方式のＨＤＤでは、オン／オフ回数はヘッド退避が実行されるときときに記録されるため、オン／オフ回数が正確に記録されなくなってしまう。
【００１６】
なお、ヘッド退避の方式はＨＤＤの外観やＨＤＤに記録された情報等から見分けることが難しい。
【００１７】
そのため、情報処理装置では、いずれの方式のＨＤＤが用いられる場合であっても、オン／オフ回数が正確に記録されるように設計する必要がある。
【００１８】
本発明は、情報処理装置において、処理手段が省電力状態で待機時間が経過した場合、省電力状態を解除し、処理手段が記憶手段にヘッド退避を実行させることで、記憶手段のオン／オフ回数を適切に記憶することを目的とする。
【課題を解決するための手段】
【００１９】
本発明は、データを処理する処理手段と、前記処理手段により処理されるデータを、ヘッドを用いてディスクに記憶する記憶手段と、前記処理手段及び前記記憶手段に対して電力を供給する供給手段と、前記処理手段及び前記記憶手段に対する電力供給を制御する制御手段と、前記記憶手段に対する電力供給を開始させてから前記記憶手段に対する電力供給を停止させるまでに待機すべき待機時間を設定する設定手段とを有し、前記制御手段は、所定の条件が満たされた場合に、前記処理手段に対する電力供給を減少させ、前記処理手段に対する電力供給が減少されている省電力状態で前記設定手段により設定された前記待機時間が経過した場合に、前記省電力状態を解除するように、前記供給手段を制御し、前記処理手段は、前記供給手段により前記省電力状態が解除されたことに応じて、前記ヘッドを退避領域へ退避させるヘッド退避を実行するように、前記記憶手段を制御し、前記制御手段は、前記記憶手段により前記ヘッド退避が完了されたことに応じて、前記記憶手段に対する電力供給を停止させるように、前記供給手段を制御することを特徴とする。
【発明の効果】
【００２０】
本発明により、情報処理装置において、処理手段が省電力状態で待機時間が経過した場合、省電力状態を解除し、処理手段が記憶手段にヘッド退避を実行させることで、記憶手段のオン／オフ回数を適切に記憶することが可能となる。
【図面の簡単な説明】
【００２１】
【図１】第１の実施形態に係るＭＦＰ１の構成を示すブロック図
【図２】第１の実施形態に係るＭＦＰ１の電力モードの制御を示すフローチャート
【図３】第１の実施形態に係るＭＦＰ１の電力モードの制御を示すタイムチャート
【図４】第２の実施形態に係るＭＦＰ１の電力モードの制御を示すフローチャート
【図５】第１の実施形態に係るＨＤＤ部２０の構成を示す図
【図６】従来技術に係るＭＦＰの電力モードの制御を示すタイムチャート
【発明を実施するための形態】
【００２２】
〔第１の実施形態〕
図１は、第１の実施形態に係るＭＦＰ１（コピー機能、プリンタ機能、スキャナ機能等の複合機能を備えた画像処理装置）の構成を示すブロック図である。
電源部１０は、ＭＦＰ１の各構成に対して電源を供給する。
スキャナ部１１は、原稿を読み取り、画像データを入力する。
コントローラ部１２は、ＭＦＰ１の各構成を制御する。
プリンタ部１３は、入力された画像データに基づいて、例えば電子写真方式によってシートに画像を形成する。
【００２３】
電源制御部１４は、省電力モード移行時の各部電源の遮断／供給の制御や、ジョブ投入などの省電力モードからの復帰要因が発生したことを検知して、各構成に電力を供給するための制御を行う。
【００２４】
ＲＴＣ部１５は、コントローラ部１２の時間を制御し、設定された時間経過後にＣＰＵ部１６に対して割り込みを発行する。また、ＲＴＣ部１５は、省電力モード中に設定された時間が経過すると、省電力モードからの復帰要因として電源制御部１４に対して通知する機能も備えている。
ＣＰＵ部１６は、ＭＦＰシステム全体の制御を行う。
画像処理部１７は、スキャナ部１１からのデータを圧縮し、ＣＰＵ部１６で処理された画像データをプリンタ部１３に出力するなどの処理を行う。
メモリ部１８は、ＤＤＲ  ＳＤＲＡＭ等の揮発性メモリであり、ＣＰＵ部１６のワークエリアとして機能する。
【００２５】
ＨＤＤコントローラ部１９は、ＣＰＵ部１６からの指示に基づいて、ＨＤＤ部２０に対してデータの転送やコマンドの発行を行う。
ＨＤＤ部２０は、外部記憶装置であるハードディスク（ＨＤＤ）であり、各種データを記憶する。図５は、ＨＤＤ部２０の構成を示す図である。ＨＤＤ部２０では、ディスク３０が回転し、ヘッド３１がディスク３０上を走査することにより、ディスク３０に記憶されたデータへのアクセス（読出又は書込）を実行することができる。また、ＨＤＤ部２０では、電源をオフする際に、ヘッド３１を、ヘッド退避領域（図５で網掛されたディスク３０の記憶領域以外の領域）に退避する。なお、ＨＤＤ部２０のオン／オフ回数（オンとオフが１回ずつで、１回のオン／オフ回数とカウントする。）は、ディスク３０の記憶領域の一部に記憶される。
【００２６】
グループ２１は、電力供給先１であり、電源制御部１４、ＲＴＣ部１５及びメモリ部１８を含む。グループ２１は、ＭＦＰ全体の電源を管理及び省電力モードからの復帰を実現するため、どの省電力モードにおいても電源が遮断されることはない。
【００２７】
グループ２２は、電力供給先２であり、ＣＰＵ部１６、画像処理部１７及びＨＤＤコントローラ部１９を含む。グループ２２への電源遮断／供給の制御は、電源制御部１４から出力される制御信号２５を介して、ＦＥＴスイッチ２７を制御することで実現される。
【００２８】
グループ２３は、電力供給先３であり、ＨＤＤ部２０を含む。グループ２３への電源遮断／供給の制御は、電源制御部１４から出力される制御信号２４を介して、ＦＥＴスイッチ２６を制御することで実現される。
【００２９】
図２は、第１の実施形態に係るＭＦＰ１の電力モードの制御を示すフローチャートである。本フローチャートに示す動作は、ＣＰＵ部１６及び電源制御部１４の動作により実行される。
【００３０】
なお、本実施形態において、装置の電源がオンになるとは、装置に対して電力供給が開始されることを意味し、装置の電源がオフになるとは、装置に対して電力供給が停止されることを意味する。
【００３１】
また、本実施形態では、ＭＦＰ１の電力モードとして、３つのモード（通常モード、省電力モード１、省電力モード２）が備えられている。通常モードとは、電力供給先１（グループ２１）、電力供給先２（グループ２２）及び電力供給先３（グループ２３）に対して電力が供給されるモードのことである。即ち、通常モードでは、ＣＰＵ部１６及びＨＤＤ部２０に対して電力が供給される。省電力モード１（ＨＤＤオン省電力モード）とは、電力供給先１（グループ２１）及び電力供給先３（グループ２３）に対して電力が供給され、電力供給先２（グループ２２）に対して電力が供給されないモードのことである。即ち、省電力モード１では、ＣＰＵ部１６に対して電力が供給されず、ＨＤＤ部２０に対して電力が供給される。省電力モード２（ＨＤＤオフ省電力モード）とは、電力供給先１（グループ２１）に対して電力が供給され、電力供給先２（グループ２２）及び電力供給先３（グループ２３）に対して電力が供給されないモードのことである。即ち、省電力モード２では、ＣＰＵ部１６及びＨＤＤ部２０に対して電力が供給されない。
【００３２】
本フローチャートは、ＭＦＰ１の電源がオンになることにより開始される。はじめ、ＭＦＰ１は、通常モードになる。
【００３３】
まず、ＣＰＵ部１６は、省電力モード１に移行する条件（所定の条件：ＭＦＰ１に対して一定時間ジョブ作の入力が無い場合等）が満たされたか否かを判断する（Ｓ１０１）。なお、本実施形態において、ジョブとは、スキャナ部１１を用いたスキャンジョブ、プリンタ部１３を用いたプリントジョブ等の総称を意味する。また、本実施形態において、ジョブの入力とは、ＭＦＰ１の図示しない操作部や外部入出力部によって、ジョブを実行するためのデータや命令が入力されることを意味する。
【００３４】
Ｓ１０１で、省電力モードに移行する条件が満たされたと判断された場合、ＣＰＵ部１６は、省電力モード１に移行してから省電力モード２に移行するまでの待機時間を、ＲＴＣ部１５に設定する（Ｓ１０２）。待機時間は、ＭＦＰ１に対して保証される製品寿命をＨＤＤ部２０に対して保証されるオン／オフ回数で除算することにより算出される時間（これを保証時間とする）と等しい時間が設定される。なお、本実施形態において、待機時間は、既に設定済である場合にはＳ１０２で再設定されないものとするが、既に設定済である場合であってもＳ１０２で再設定されるものとしてもよい。また、待機時間は、保証時間と等しい時間とする代わりに、ＨＤＤ部２０の電源をオンにしてからＣＰＵ部１６の電源をオフにするまでの時間を保証時間から減算することにより算出してもよい。また、待機時間は、ＣＰＵ部１６の電源をオフにする際に計測を開始する代わりに、ＨＤＤ部２０の電源をオンにする際に計測を開始してもよい。
【００３５】
ＲＴＣ部１５は、待機時間が設定されると時間の計測を開始し、待機時間が経過したら、その旨を電源制御部１４に通知する。
【００３６】
次に、電源制御部１４は、制御信号２５を用いて、ＣＰＵ部１６が含まれる電力供給先２への電力供給を停止又は減少する（Ｓ１０３）。これにより、ＭＦＰ１は、通常モードから省電力モード１に移行する（省電力状態へ移行する）。
【００３７】
次に、電源制御部１４は、省電力モード１から通常モードへの復帰要因が発生したか否かを判断する（Ｓ１０４）。復帰要因には、一般的な復帰要因（ジョブや操作の入力等）の他に、ＲＴＣ部１５から待機時間が経過したことの通知も含まれる。電源制御部１４は、復帰要因として、ＲＴＣ部１５から待機時間が経過したことの通知を受けた場合には、その旨を示す情報をメモリ部１８に記憶する。
【００３８】
Ｓ１０４で、省電力モード１から通常モードへの復帰要因が発生したと判断された場合、電源制御部１４は、ＣＰＵ部１６が含まれる電力供給先２への電力供給を開始又は増加即ち再開する（Ｓ１０５）。これにより、ＭＦＰ１は、省電力モード１から通常モードに移行する（省電力状態が解除される）。Ｓ１０５は、第１の制御に対応する。
【００３９】
次に、ＣＰＵ部１６は、Ｓ１０４で発生した復帰要因がＲＴＣ部１５から待機時間が経過したことの通知であったか否かを判断する（Ｓ１０６）。Ｓ１０６は、ＣＰＵ部１６が、メモリ部１８にアクセスし、ＲＴＣ部１５から待機時間が経過したことの通知を受けたことを示す情報が記憶されているかを確認することによって実現される。Ｓ１０６で、復帰要因がＲＴＣ部１５から待機時間が経過したことの通知であったと判断された場合、Ｓ１０７に移行する。Ｓ１０６で、復帰要因がＲＴＣ部１５から待機時間が経過したことの通知でなかったと判断された場合、Ｓ１０１に移行する。
【００４０】
Ｓ１０６で、復帰要因がＲＴＣ部１５から待機時間が経過したことの通知であったと判断された場合、ＣＰＵ部１６は、Ｆｌｕｓｈ  Ｃａｃｈｅコマンドを発行し、ＨＤＤ部２０に送信する（Ｓ１０７）。
【００４１】
ＨＤＤ部２０は、Ｆｌｕｓｈ  ＣａｃｈｅコマンドをＣＰＵ部１６から受信したら、キャッシュデータをメモリ部１８に格納する。
【００４２】
次に、ＣＰＵ部１６は、ヘッド退避コマンドを発行し、ＨＤＤ部２０に送信する（Ｓ１０８）。Ｓ１０８は、第２の制御に対応する。
【００４３】
ＨＤＤ部２０は、ヘッド退避コマンドをＣＰＵ部１６から受信したら、ヘッド退避を実行する。ＨＤＤのヘッド退避方式がＣＳＳ方式である場合、ＨＤＤ部２０は、ヘッド退避を実行する際に、ＨＤＤのオン／オフ回数を記録（更新：１回分加算）する。ヘッド退避が実行される際に、ヘッド退避が完了したら、ＨＤＤ部２０は、コマンド完了ステータスをＣＰＵ部１６に送信する。
【００４４】
次に、ＣＰＵ部１６は、コマンド完了ステータスをＨＤＤ部２０から受信するまで待つ（Ｓ１０９）。
【００４５】
コマンド完了ステータスがＨＤＤ部２０から受信された場合、電源制御部１４は、制御信号２４及び２５を用いて、ＣＰＵ部１６が含まれる電力供給先２及びＨＤＤ部２０が含まれる電力供給先２への電力供給を停止又は減少する（Ｓ１１０）。これにより、ＭＦＰ１は、通常モードから省電力モード２に移行する（省電力状態へ移行する）。Ｓ１１０は、第３の制御に対応する。
【００４６】
ＨＤＤのヘッド退避方式がロード／アンロード方式である場合、ＨＤＤ部２０は、電力供給が停止される際に、ＨＤＤのオン／オフ回数を記録（更新：１回分加算）する。
【００４７】
なお、Ｓ１１０の後に省電力モード２から通常モード１への復帰要因が発生した場合、ＭＦＰ１は、省電力モード２から通常モードに移行し、Ｓ１０１から処理を実行する。
【００４８】
また、以上のように記録されたＨＤＤのオン／オフ回数を、ＣＰＵ部１６は、必要に応じて、ＨＤＤ部２０から読み出して使用することが可能である。
【００４９】
図３は、第１の実施形態に係る電力モードの制御を示すタイミングチャートである。
【００５０】
ＨＤＤの電源をオフにする際に、オフになっていたＣＰＵの電源を一度オンにし、ヘッド退避を実行していることが分かる。
【００５１】
これにより、ＣＳＳ方式又はロード／アンロード方式どちらのＨＤＤであっても、オン／オフ回数のカウント値が同じになり、正確なオン／オフ回数のカウントが可能となる。
【００５２】
本実施形態によれば、情報処理装置において、ＨＤＤの電源をオフにする際に、オフになっていたＣＰＵの電源を再度オンにしてヘッド退避を実行することにより、ＨＤＤのオン／オフ回数を適切に記録することが可能となる。
【００５３】
〔第２の実施形態〕
第１の実施形態では、ＨＤＤのヘッド退避の方式に関わらず、図２のローチャートに示す制御を実行した。
【００５４】
これに対して、第２の実施形態では、ＨＤＤのヘッド退避の方式、即ち、ロード／アンロード方式（第２の方式）又はＣＳＳ方式（第１の方式）に応じて、ＭＦＰ１の電力モードの制御を切り替える。
【００５５】
ＨＤＤのヘッド退避の方式は、例えば、ＨＤＤの型番とロード／アンロード方式又はＣＳＳ方式が対応付けられたテーブルを、メモリ部１８に記憶させておくことにより、判断することが可能となる。なお、ＨＤＤのヘッド退避の方式は、例えば、ロード／アンロード方式又はＣＳＳ方式を示す情報を、ＨＤＤに対して予め記憶させておくことにより、判断することを可能としてもよい。
【００５６】
第２の実施形態に係るＭＦＰ１の構成は、図１を用いて説明した第１の実施形態の構成と同様であるため、説明を省略する。
【００５７】
図４は、第２の実施形態に係るＭＦＰ１の電力モードの制御を示すフローチャートである。
【００５８】
本フローチャートは、ＭＦＰ１の電源がオンになることにより開始される。はじめ、ＭＦＰ１は、通常モードになる。
【００５９】
まず、ＣＰＵ部１６は、ＨＤＤ部２０からＨＤＤ部２０の型番を取得し、取得した型番がメモリ部１８に記憶されたテーブル登録されているか否かを判断する（Ｓ２０１）。Ｓ２０１で、ＨＤＤ部２０の型番がメモリ部１８に登録されていると判断された場合、Ｓ２０２に移行する。Ｓ２０１で、ＨＤＤ部２０の型番がメモリ部１８に登録されていないと判断された場合、Ｓ２０３に移行する。
【００６０】
次に、ＣＰＵ部１６は、取得した型番に対応する型番をメモリ部１８に記憶されたテーブルの中から特定し、ＨＤＤ部２０のヘッド退避方式がＣＳＳ方式かロード／アンロード方式かを判断（決定）する（Ｓ２０２）。Ｓ２０２で、ＨＤＤ部２０のヘッド退避方式がＣＳＳ方式であると判断された場合、Ｓ２０３に移行する。Ｓ２０２で、ＨＤＤ部２０のヘッド退避方式がロード／アンロード方式であると判断された場合、Ｓ２１３に移行する。
Ｓ２０３〜Ｓ２１２は、Ｓ１０１〜Ｓ１１０と同様である。
【００６１】
Ｓ２１３において、ＣＰＵ部１６は、ＲＴＣ部１５による復帰を無効にする。即ち、ＣＰＵ部１６は、Ｓ２２０にて受け付ける復帰要因を、一般的な復帰要因（ジョブや操作の入力等）とし、ＲＴＣ部１５から待機時間が経過したことの通知を、Ｓ２２１にて受け付けるものとする。
Ｓ２１４は、Ｓ１０１と同様である。
Ｓ２１５〜Ｓ２１７は、Ｓ１０７〜Ｓ１０９と同様である。
Ｓ２１８〜Ｓ２１９は、Ｓ１０２〜Ｓ１０３と同様である。
【００６２】
Ｓ２２０において、電源制御部１４は、省電力モード１から通常モードへの復帰要因が発生したか否かを判断する。復帰要因は、一般的な復帰要因（ジョブや操作の入力等）である。Ｓ２２０で、省電力モード１から通常モードへの復帰要因が発生したと判断された場合、Ｓ２２３に移行する。Ｓ２２０で、省電力モード１から通常モードへの復帰要因が発生していないと判断された場合、Ｓ２２１に移行する。
【００６３】
Ｓ２２１において、電源制御部１４は、ＲＴＣ部１５から待機時間が経過したことの通知を受信したか否かを判断する。Ｓ２２１で、ＲＴＣ部１５から待機時間が経過したことの通知を受信したと判断された場合、Ｓ２２２に移行する。Ｓ２２１で、ＲＴＣ部１５から待機時間が経過したことの通知を受信していないと判断された場合、Ｓ２２０に移行する。
Ｓ２２２は、Ｓ１１０と同様である。
Ｓ２２３は、Ｓ２０７と同様である。
【００６４】
本実施形態によれば、ＣＳＳ方式の場合には、ＨＤＤの電源をオフにする際にＣＰＵの電源を再度オンにし、ロード／アンロード方式の場合には、ＨＤＤの電源をオフにする際にＣＰＵの電源を再度オンにしない。このため、ＨＤＤのヘッド退避の方式に応じて適切な電力制御を実行でき、第１の実施形態よりもＣＰＵにおける消費電力を削減することが可能となる。
【００６５】
〔他の実施形態〕
また、本発明の目的は、以下の処理を実行することによっても達成される。
即ち、上記の実施の形態の機能を実現する制御プログラムを記憶した記憶媒体を、システム或いは装置に供給し、そのシステム或いは装置のコンピュータが記憶媒体に記憶されたプログラムを読み出す処理である。
【００６６】
この場合、記憶媒体から読み出される制御プログラム自体が前述の実施の形態の機能を実現することになり、その制御プログラム及び該プログラムを記憶した記憶媒体も、本発明を構成することになる。
【図１】
2011013773.tif 000003
【図２】
2011013773.tif 000004
【図３】
2011013773.tif 000005
【図４】
2011013773.tif 000006
【図５】
2011013773.tif 000007
【図６】
2011013773.tif 000008